(57)【要約】【課題】情報の希少性を高めることで閲覧者に情報をしっかり伝達することができる情報提供装置および情報提供プログラムを提供する。【解決手段】情報提供装置４０は、投稿者による第１端末装置１０からの投稿を示す投稿情報と、投稿した位置を示す投稿位置情報と、投稿した投稿時間を示す投稿時間情報とを関連付けて記憶手段に格納し、閲覧者による第２端末装置２０の所在を示す閲覧位置情報であって、第２端末装置２０が閲覧の際に送信する閲覧位置情報が含まれる領域に基づいて、記憶手段に格納された投稿位置情報を検索して、この領域に含まれる投稿位置情報に関連付けられた投稿情報を、第２端末装置２０へ送信する。そして、情報提供装置４０は、投稿時間情報に基づいて、投稿されてからの時間が所定時間以上経過した投稿情報を閲覧対象から外すことで、投稿の希少性を高め、閲覧者に投稿が閲覧対象から外される前に閲覧させることを促進させる。【選択図】図１
2017079035.tif 000002
【特許請求の範囲】
【請求項１】
投稿者が操作する第１端末装置からの投稿を示す投稿情報と、前記第１端末装置が投稿した位置を示す投稿位置情報と、前記第１端末装置が投稿した投稿時間を示す投稿時間情報とを関連付けて記憶手段に格納する投稿受付手段と、
閲覧者が操作する第２端末装置の所在を示す閲覧位置情報であって、前記第２端末装置が閲覧の際に送信する閲覧位置情報が含まれる領域に基づいて、前記記憶手段に格納された投稿位置情報を検索して、前記領域に含まれる投稿位置情報に関連付けられた投稿情報を、前記第２端末装置へ送信する投稿提供手段と、
前記記憶手段に格納された投稿時間情報に基づいて、投稿されてからの時間が所定時間以上経過した投稿情報を閲覧対象から外す投稿除外手段と、を備えた情報提供装置。
【請求項２】
前記投稿提供手段は、投稿時間情報が示す投稿時間に基づいて、時間の経過と共に投稿情報を難視状態にして前記第２端末装置へ送信する請求項１記載の情報提供装置。
【請求項３】
前記第２端末装置の所在を示す閲覧位置情報が含まれる領域と、該領域に隣接する領域とに含まれる投稿位置情報を前記記憶手段から検索し、検索された投稿位置情報が示す位置にマークを付した地図情報を前記第２端末装置へ送信する地図情報提供手段を備えた請求項１または２記載の情報提供装置。
【請求項４】
前記地図情報提供手段は、前記マークとして投稿者を識別するアイコンを付す請求項３記載の情報提供装置。
【請求項５】
前記投稿受付手段は、前記第１端末装置から投稿された投稿情報を引用して、他の投稿者が操作する第３端末装置が再投稿したことを示す再投稿情報を、該投稿情報に関連付けて前記記憶手段に格納する機能を備え、
前記投稿除外手段は、前記記憶手段に格納された投稿時間情報に基づいて、投稿されてからの時間が所定時間以上経過した投稿情報を投稿対象から外すときに、該投稿情報に関連付けられた再投稿情報も投稿対象から外す請求項１から４のいずれかの項に記載の情報提供装置。
【請求項６】
コンピュータを、
投稿者が操作する第１端末装置からの投稿を示す投稿情報と、前記第１端末装置が投稿した位置を示す投稿位置情報と、前記第１端末装置が投稿した投稿時間を示す投稿時間情報とを関連付けて記憶手段に格納する投稿受付手段、
閲覧者が操作する第２端末装置の所在を示す閲覧位置情報であって、前記第２端末装置が閲覧の際に送信する閲覧位置情報が含まれる領域に基づいて、前記記憶手段に格納された投稿位置情報を検索して、前記領域に含まれる投稿位置情報に関連付けられた投稿情報を、前記第２端末装置へ送信する投稿提供手段、
前記記憶手段に格納された投稿時間情報に基づいて、投稿されてからの時間が所定時間以上経過した投稿情報を閲覧対象から外す投稿除外手段として機能させる情報提供プログラム。
【発明の詳細な説明】
【技術分野】
【０００１】
本発明は、投稿者が第１端末装置を操作して投稿した投稿情報を、閲覧者が操作する第２端末装置へ送信して閲覧させる情報提供装置および情報提供プログラムに関するものである。
【背景技術】
【０００２】
ツイッター（登録商標）などの短文投稿サイトやホームページ、ブログなどでは、投稿者は情報を手軽に発信できたり、閲覧者は情報を手軽に入手したりすることができる。
例えば、飲食店で食事したときの料理に関する情報が、料理の写真付きで、投稿者によって短文投稿サイトに投稿されると、閲覧者は、その飲食店で提供される料理の様子を、自宅に居ながら、または交通機関により移動しながら把握することができる。
このような投稿サイトへの投稿について、特許文献１に記載されたものが知られている。
【０００３】
特許文献１の「地域情報配信サーバ、移動端末、地域情報配信システム、地域情報配信方法及び地域情報表示方法」は、移動端末に地域情報を配信する地域情報配信サーバについて記載されている。この地域情報配信サーバは、移動端末から移動端末の位置情報を受信すると、地域に関する投稿情報のうち、移動端末の位置情報に関連する地域の投稿情報を取得し、この投稿情報を移動端末に移動端末に配信するというものである。
【先行技術文献】
【特許文献】
【０００４】
【特許文献１】特開２０１２−２２１２０７号公報
【発明の概要】
【発明が解決しようとする課題】
【０００５】
この特許文献１に記載の地域情報配信サーバによれば、投稿された情報の中から閲覧者が興味のある地域に関する情報を選択することが容易である。しかし、閲覧者は、このような投稿情報を眺めるようにして見ては、次の投稿情報を探すような傾向にある。例えば、投稿情報がイベント開催を告知するような内容であれば、閲覧者は、イベントが開催されることを認知しても、開催の詳細要項などは記憶に残らずに、後日、再度、同じ投稿情報を閲覧して、イベントが終わってしまっていることに気が付くことが度々ある。
【０００６】
これは、投稿情報が大量に投稿されるため、情報の希少性が低いためである。従って、情報提供者である投稿者は、投稿者の近くに所在する閲覧者にしっかりと情報を伝え、情報が行動を起こすことの契機となることを望んでいるが、閲覧者はその情報に対して余り気に掛けていないのが実情である。
【０００７】
そこで本発明は、情報の希少性を高めることで閲覧者に情報をしっかり伝達することができる情報提供装置および情報提供プログラムを提供することを目的とする。
【課題を解決するための手段】
【０００８】
本発明の情報提供装置は、投稿者が操作する第１端末装置からの投稿を示す投稿情報と、前記第１端末装置が投稿した位置を示す投稿位置情報と、前記第１端末装置が投稿した投稿時間を示す投稿時間情報とを関連付けて記憶手段に格納する投稿受付手段と、閲覧者が操作する第２端末装置の所在を示す閲覧位置情報であって、前記第２端末装置が閲覧の際に送信する閲覧位置情報が含まれる領域に基づいて、前記記憶手段に格納された投稿位置情報を検索して、前記領域に含まれる投稿位置情報に関連付けられた投稿情報を、前記第２端末装置へ送信する投稿提供手段と、前記記憶手段に格納された投稿時間情報に基づいて、投稿されてからの時間が所定時間以上経過した投稿情報を閲覧対象から外す投稿除外手段と、を備えたことを特徴とする。
【０００９】
本発明の情報提供装置によれば、まず、第１端末装置から投稿された投稿情報を投稿受付手段が受け付け記憶手段に格納する。このとき、投稿受付手段は、この投稿情報に投稿位置情報と投稿時間情報とを関連付ける。この投稿情報を閲覧者が操作する第２端末装置により閲覧するときには、この投稿情報が関連付けられた投稿位置情報が含まれる領域に、第２端末装置が位置しており、かつ投稿されてからの時間が所定時間未満であれば、投稿が投稿除外手段によって閲覧対象から外される前の状態であるため、閲覧者が第２端末装置を操作することで、投稿提供手段が第２端末装置提供に投稿情報を提供するため、この投稿を閲覧することができる。従って、閲覧者が投稿情報を閲覧するためには、投稿情報が投稿された位置と同じ領域に、第２端末装置が所在する必要があるだけでなく、時間によっても投稿が閲覧対象から外されるため、投稿による情報の希少性を向上させることができる。また、閲覧者に急いで閲覧することを促すことができるので、閲覧者の焦燥感を煽ることができる。
【００１０】
前記投稿提供手段は、投稿時間情報が示す投稿時間に基づいて、時間の経過と共に投稿情報を難視状態にして前記第２端末装置へ送信することが望ましい。
閲覧者が第２端末装置を操作して投稿情報を閲覧するときに、時間と共に、難視状態の投稿情報が送信されるので、投稿が閲覧対象から外される時間が迫っていることを視覚的に認識させることができる。
【００１１】
前記第２端末装置の所在を示す閲覧位置情報が含まれる領域と、該領域に隣接する領域とに含まれる投稿位置情報を前記記憶手段から検索して、投稿位置情報が示す位置にマークを付した地図情報を前記第２端末装置へ送信する地図情報提供手段を備えることが望ましい。
地図情報提供手段が、閲覧者が所在する領域だけでなく、隣接する領域も投稿された位置を示すマークを地図情報に重畳するので、閲覧者は近くで情報発信されている度合いを容易に把握することができる。
【００１２】
前記地図情報提供手段は、前記マークとして投稿者を識別するアイコンを付すことが望ましい。地図情報提供手段が投稿者を識別するアイコンが付された地図情報を送信するため、閲覧者は投稿した位置だけでなく投稿者を把握することができる。
【００１３】
前記投稿受付手段は、前記第１端末装置から投稿された投稿情報を引用して、他の投稿者が操作する第３端末装置が再投稿したことを示す再投稿情報を、該投稿情報に関連付けて前記記憶手段に格納する機能を備え、前記投稿除外手段は、前記記憶手段に格納された投稿時間情報に基づいて、投稿されてからの時間が所定時間以上経過した投稿情報を閲覧対象から外すするときに、該投稿情報に関連付けられた再投稿情報も閲覧対象から外すことが望ましい。
投稿除外手段は、親投稿となる投稿情報を閲覧対象から外すときには、この投稿情報を引用した子投稿となる再投稿情報も一緒に閲覧対象から外れるため、閲覧者に、更に、焦燥感を煽ることができる。
【００１４】
本発明の情報提供装置は、コンピュータを、投稿者が操作する第１端末装置からの投稿を示す投稿情報と、前記第１端末装置が投稿した位置を示す投稿位置情報と、前記第１端末装置が投稿した投稿時間を示す投稿時間情報とを関連付けて記憶手段に格納する投稿受付手段、閲覧者が操作する第２端末装置の所在を示す閲覧位置情報であって、前記第２端末装置が閲覧の際に送信する閲覧位置情報が含まれる領域に基づいて、前記記憶手段に格納された投稿位置情報を検索して、前記領域に含まれる投稿位置情報に関連付けられた投稿情報を、前記第２端末装置へ送信する投稿提供手段、前記記憶手段に格納された投稿時間情報に基づいて、投稿されてからの時間が所定時間以上経過した投稿情報を閲覧対象から外す投稿除外手段として機能させることを特徴とする情報提供プログラムにより実現することができる。
【発明の効果】
【００１５】
本発明は、投稿情報が投稿された位置と同じ領域に、第２端末装置が所在することが必要となるだけでなく、時間によっても投稿が閲覧対象から外されるため、投稿による情報の希少性を向上させることができ、閲覧者に急いで閲覧することを促すことができるので、閲覧者の焦燥感を煽ることができる。従って、本発明は、情報の希少性を高めることで閲覧者に情報をしっかり伝達することができる。
【図面の簡単な説明】
【００１６】
【図１】本発明の実施の形態に係る情報提供装置を用いた情報提供システム全体を示す図である。
【図２】図１に示す情報提供装置の構成を説明するためのブロック図である。
【図３】図１に示す情報提供システムの第１端末装置を操作する投稿者のページの図である。
【図４】図１に示す情報提供システムの第１端末装置を操作して投稿者が投稿するページの図である。
【図５】図１に示す情報提供システムの第２端末装置を操作する閲覧者のページの図である。
【図６】第２端末装置が表示した地図情報を示すページの図である。
【図７】図５に示す閲覧者のページに表示された投稿者による投稿者情報が、時間の経過と共に薄くなった状態の図である。
【図８】図１に示す情報提供システムの第３端末装置を操作する他の投稿者が再投稿した状態のページの図である。
【発明を実施するための形態】
【００１７】
本発明の実施の形態に係る情報提供装置を用いた情報提供システムについて、図面に基づいて説明する。
本発明の実施の形態に係る情報提供システムは、情報提供装置が提供するＳＮＳ（ソ−シャルネットワークサービス）に参加する参加者が投稿者となって第１端末装置を操作して投稿した投稿情報を、参加者が閲覧者となって操作する第２端末装置へ送信して閲覧させるものである。
図１に示すように、情報提供システムは、投稿者Ｍ１が操作する第１端末装置１０と、閲覧者Ｍ２，Ｍ４，Ｍ５が操作する第２端末装置２０（２１〜２３）と、他の投稿者Ｍ３が操作する第３端末装置３０と、情報提供装置４０とを備えている。第１端末装置１０〜第３端末装置３０と、情報提供装置４０とは、無線通信よりネットワークの一例であるインターネットＷを介して通信可能に接続されている。
【００１８】
第１端末装置１０は、飲食店である店舗Ｓに位置するコンピュータの一例であるスマートフォンである。第１端末装置１０を操作する投稿者Ｍ１は、例えば、店舗Ｓに来訪して飲食する者や、店舗Ｓに勤務する従業員である。この店舗Ｓは領域Ａ１に含まれている。
第２端末装置２１は、閲覧者Ｍ２が携帯するスマートフォンである。閲覧者Ｍ２は、店舗Ｓが含まれる領域Ａ１に所在する歩行者である。
また、領域Ａ１とは異なる領域Ａ２，Ａ３を散策する閲覧者Ｍ４，Ｍ５も、第２端末装置２０（２２，２３）を携帯している。
第３端末装置３０は、他の投稿者Ｍ３が携帯するスマートフォンである。他の投稿者Ｍ３は、店舗Ｓが含まれる領域Ａ１に所在する歩行者である。
【００１９】
この領域は、閲覧位置情報を中心とした矩形状の範囲としたり、円形状の範囲としたりすることができる。例えば、領域を矩形状の範囲とするときには、閲覧者が所在する位置を中心に、南北方向にそれぞれ３ｋｍ、東西方向にそれぞれ３ｋｍの正方形とすることができる。また、領域を円形状の範囲とするときには、閲覧者が所在する位置を中心に、半径３ｋｍの真円とすることができる。範囲の形状や数値は、設定により変更することが可能である。
従って、図１の例では、投稿者Ｍ１が所在する位置を中心とした領域に閲覧者Ｍ２と他の投稿者Ｍ３が含まれるが、閲覧者Ｍ４が所在する位置では含まれないことを示している。このとき、他の投稿者Ｍ３が所在する位置を中心とした領域では、投稿者Ｍ１の領域とずれた範囲となるため、閲覧者Ｍ４が所在する位置を含む場合もある。つまり、領域は、絶対的な範囲（例えば、行政区ごとなど）とすることができるが、本実施の形態での領域は、投稿者および閲覧者を中心とした相対的な範囲としている。
【００２０】
第１端末装置１０から第３端末装置３０には、情報提供装置４０が提供するＳＮＳへ投稿したり、ＳＮＳの投稿を閲覧したりするための端末装置用アプリケーションプログラムがインストールされている。従って、参加者である投稿者Ｍ１や他の投稿者Ｍ３は閲覧者となることもある。また、参加者である閲覧者Ｍ２，Ｍ４，Ｍ５は投稿者となることもある。この端末装置用アプリケーションプログラムは、ＳＡＦＡＲＩ（登録商標）やＧｏｏｇｌｅ  Ｃｈｒｏｍｅ（登録商標）などのブラウザとしたり、独自に開発した専用ソフトとしたりすることができる。
第１端末装置１０から第３端末装置３０は、ＧＰＳ（グローバル・ポジショニング・システム）機能を有している。このＧＰＳ機能により、第１端末装置１０から第３端末装置３０は、正確な位置を、投稿時には投稿位置情報として、閲覧時には閲覧位置情報として通知する機能を有している。
【００２１】
情報提供装置４０は、情報提供プログラムが動作することでＳＮＳを提供するコンピュータである。図２に示すように、情報提供装置４０は、通信手段４１、投稿受付手段４２と、投稿提供手段４３と、投稿除外手段４４と、地図情報提供手段４５と、記憶手段４６とを備えている。
通信手段４１は、インターネットを介して第１端末装置１０から第３端末装置３０との通信を行うものである。
【００２２】
投稿受付手段４２は、投稿者Ｍ１が操作する第１端末装置１０からの投稿を示す投稿情報と、第１端末装置１０が投稿した位置を示す投稿位置情報と、第１端末装置１０が投稿した投稿時間を示す投稿時間情報とを関連付けて記憶手段４６に格納する機能を有している。
投稿提供手段４３は、閲覧者が操作する第２端末装置２０の所在を示す閲覧位置情報であって、第２端末装置２０が閲覧の際に送信する閲覧位置情報が含まれる領域に基づいて、記憶手段４６に格納された投稿位置情報を検索して、この領域に含まれる投稿位置情報に関連付けられた投稿情報を、第２端末装置２０へ送信する機能を有している。
【００２３】
投稿除外手段４４は、記憶手段４６に格納された投稿時間情報に基づいて、投稿されてからの時間が所定時間以上経過した投稿情報を投稿対象から外す機能を有している。ここで、投稿除外手段４４が投稿情報を投稿対象から外す操作は、投稿提供手段４３による検索対象から外すこと以外に、記憶手段４６から削除することでもよい。
地図情報提供手段４５は、第２端末装置２０の所在を示す閲覧位置情報が含まれる領域と、該領域に隣接する領域とに含まれる投稿位置情報を記憶手段４６から検索して、検索された投稿位置情報が示す位置にマークを付した地図情報を地図情報に重畳して第２端末装置２０へ提供する機能を有している。
【００２４】
記憶手段４６は、各種の情報を格納するものである。ハードディスクドライブとしたり、フラッシュメモリを使用したＳＳＤ（ソリッドステートドライブ）としたりすることができる。
【００２５】
各種の情報としては、投稿者となったり、閲覧者となったりするＳＮＳの会員のＩＤ（識別情報）とパスワード、ＳＮＳの会員のアイコンを示すアイコン情報、投稿者による投稿を示す投稿情報、投稿された時間を示す投稿時間情報、投稿された位置を示す投稿位置情報などである。これらは、互いに関連付けられて記憶手段４６に格納されている。また、投稿情報は引用されたことを示す再投稿情報が関連付けられる。
【００２６】
アイコン情報は、絵や図形、写真などの画像データが含まれる。投稿情報は、投稿文や、ＵＲＬなどを示すテキストデータの他、写真などの画像データなどが含まれる。投稿位置情報は、緯度、経度である。
また、各種の情報としては、設定情報も含まれる。設定情報は、投稿が閲覧対象から外される時間を示す除外時間情報、閲覧できる範囲を示す閲覧範囲情報が含まれる。
【００２７】
以上のように構成された本発明の実施の形態に係る情報提供システムの動作および使用状態を図面に基づいて説明する。
まず、領域Ａ１に所在する投稿者Ｍ１は、第１端末装置１０を操作して端末装置用アプリケーションプログラム起動する。そして、投稿者Ｍ１は、第１端末装置１０の操作画面に表示された認証画面により情報提供装置４０に認証を得る。このとき、第１端末装置１０は、投稿を閲覧する現在地を示す閲覧位置情報を情報提供装置４０へ送信する。
【００２８】
情報提供装置４０が認証すると、情報提供装置４０の投稿提供手段４３は、通信手段４１を介して図３に示す投稿者Ｍ１のページＰ１を第１端末装置１０へ送信する。
第１端末装置１０に表示されたページＰ１では、投稿者Ｍ１を示すアイコンＩ１と投稿者Ｍ１の名称と示す「Ｔａｒｏ」が、タイトルバーに表示されている。また、図３に示すページＰ１の例では、また投稿されていないため、投稿情報の表示はされていないが、投稿者Ｍ１の現在地を示す閲覧位置情報に基づいて、投稿者Ｍ１が所在する位置が含まれる領域から投稿された投稿情報で、投稿されてからの時間が所定時間未満の投稿情報（未除外の投稿情報）が表示される。
【００２９】
第１端末装置１０にて、図３に示すページＰ１が表示されると、投稿者Ｍ１はページＰ１に表示された引き出しを象った投稿入力ボタンＢ１を押下する。
そして、投稿入力ボタンＢ１が押下されることで表示された投稿用ページＰ２（図４参照）に、投稿者Ｍ１は第１端末装置１０を操作して、投稿する文章を入力したり、写真を添付したりする。投稿者Ｍ１は、投稿内容の入力が完了すれば、投稿実行ボタンＢ２を押下して投稿する。第１端末装置１０は入力された文章および写真を投稿情報として、このときの位置をＧＰＳ機能から取得して投稿位置情報と一緒に、投稿情報として、情報提供装置４０へ送信する。
【００３０】
第１端末装置１０からの投稿情報および投稿位置情報は、情報提供装置４０の通信手段４１を介して受信した投稿受付手段４２が、投稿者Ｍ１の識別情報と、投稿時間情報とに関連付けて記憶手段４６に格納される。
【００３１】
例えば、投稿者Ｍ１と同じ領域Ａ１に所在する閲覧者Ｍ２が、第２端末装置２１を操作して、投稿者Ｍ１と同様に、情報提供装置４０が提供するＳＮＳへアクセスしたとする。
第２端末装置２１が閲覧するときには、閲覧位置情報が、情報提供装置４０へ送信される。
図３に示すページＰ１と同様に、第２端末装置２１には、情報提供装置４０の投稿提供手段４３から送信された閲覧者Ｍ２のページＰ３（図５参照）が表示される。
第２端末装置２１に表示されたページＰ３では、投稿者Ｍ２を示すアイコンＩ２と閲覧者Ｍ２の名称と示す「ｇｉｒｏ」が、タイトルバーに表示されている。
【００３２】
このとき、第２端末装置２１は、投稿者Ｍ１が投稿した位置を示す投稿位置情報が含まれる領域Ａ１に所在している。従って、投稿提供手段４３は、同じ領域Ａ１で投稿された投稿情報を、投稿位置情報に基づいて記憶手段４６から検索することで、投稿者Ｍ１による投稿情報が検索され、第２端末装置２１に送信される。
そのため、領域Ａ１とは異なる領域Ａ２，Ａ３を散策する閲覧者Ｍ４，Ｍ５が第２端末装置２２，２３を操作して第２端末装置２２，２３に表示されたページを閲覧しても、投稿提供手段４３により投稿者Ｍ１による投稿情報が検索されないため、投稿者Ｍ１による投稿情報は第２端末装置２２，３４には表示されない。
【００３３】
領域Ａ２に所在する閲覧者Ｍ４が操作する第２端末装置２２には、異なる領域Ａ１から投稿された投稿者Ｍ１による投稿情報は表示されない。そこで、閲覧者Ｍ４は第２端末装置２２を操作して地図情報を情報提供装置４０に要求する。このとき、第２端末装置２２から、地図情報の要求と共に、閲覧位置情報が、情報提供装置４０に向けて送信される。
【００３４】
情報提供装置４０では、地図情報提供手段４５が、第２端末装置２２からの閲覧位置情報に基づいて第２端末装置２２が領域Ａ２に所在していることを判定する。次に、地図情報提供手段４５は、その領域Ａ２と隣接する領域Ａ１および領域Ａ３にて投稿された投稿情報を、投稿位置情報に基づいて記憶手段４６から検索する。そして、記憶手段４６から検索された投稿位置情報が示す位置にマークを付した地図情報を第２端末装置２２へ送信する。
このとき、地図情報提供手段４５は、投稿者を識別するアイコンを地図情報に付す。例えば、アイコンとして投稿者の顔写真とすることができる。
図６に示すページＰ４の例では、アイコンＩ３〜Ｉ８によって、渋谷駅を中心に各場所で投稿されていることが判る。このとき、地図の中心が、閲覧者Ｍ４が所在する位置である。地図中心にアイコンＩ８が表示されていることから、ページＰ４から閲覧者Ｍ４の近くに投稿者がいることがわかる。表示画面に表示されていない範囲は、表示画面をフリックして地図をスクロールすることで投稿者がいればアイコンにより確認することができる。表示画面に表示された範囲や、地図をスクロールした範囲などから、閲覧者が所在する領域だけでなく、隣接する領域をチェックすることができる。
【００３５】
このように、地図情報提供手段４５が、閲覧者Ｍ４が所在する領域Ａ２だけでなく、隣接する領域Ａ１，Ａ３も投稿された位置を示すマークを地図情報に重畳するので、閲覧者Ｍ２は近くで情報発信した投稿者Ｍ１の投稿を認識することができ、情報発信されている度合いを容易に把握することができる。従って、領域Ａ２に所在する閲覧者Ｍ４は、隣接する領域Ａ１，Ａ３へ行ってみたくなるため、店舗Ｓは閲覧者Ｍ２を来店客として誘引することができる。
【００３６】
また、地図情報提供手段４５が投稿者Ｍ１を識別するアイコンとして顔写真が付された地図情報を送信するため、閲覧者は投稿した位置だけでなく投稿者を把握することができる。
【００３７】
投稿者Ｍ１が投稿してから時間が経過したときに、閲覧者Ｍ２が閲覧したとする。そうすると、投稿提供手段４３は、投稿時間情報に基づいて経過時間を算出する。投稿提供手段４３は、この経過時間に応じて濃淡を薄くする（濃淡度を白色方向へ変更する）ことで難視状態とした投稿情報を第２端末装置２１へ送信する。図７に示すページＰ５では、１２時間が経過した投稿情報を示している。明らかに、投稿情報（文字・写真）を含むページ全体が時間の経過と共に、薄くなっていることがわかる。
【００３８】
そして、投稿者Ｍ１が投稿した時間を示す投稿時間情報を起点に、設定情報の一つとして設定された除外時間情報が示す時間が経過すると、投稿除外手段４４は、投稿者Ｍ１による投稿情報を閲覧対象から外す。投稿情報が閲覧対象から外れると、同じ領域Ａ１に第２端末装置２１が所在しても、投稿者Ｍ１による投稿情報は第２端末装置２１に表示されない。除外時間情報による除外時間は、例えば、２４時間とすることができる。
【００３９】
このように、情報提供装置４０は、投稿情報が投稿された位置と同じ領域に、第２端末装置２１が所在するだけでなく、時間によっても投稿が閲覧対象から外されるため、投稿による情報の希少性を向上させることができる。また、閲覧者Ｍ２に急いで閲覧することを促すことができるので、閲覧者の焦燥感を煽ることができる。
従って、情報提供装置４０は、情報の希少性を高めることで閲覧者Ｍ２に情報をしっかり伝達することができる。
【００４０】
また、閲覧者Ｍ２が第２端末装置２１を操作して投稿情報を閲覧するときに、時間と共に、投稿情報が薄くなるので、投稿が閲覧対象から外れる時間が迫っていることを視覚的に認識させることができる。
【００４１】
なお、本実施の形態では、難視状態とすることの一例として、投稿情報全体の濃淡を薄くしているが、投稿情報のうち、文字部分または写真部分のいずれか一方とすることができる。文字部分または写真部分のいずれか一方の濃淡を変更しても、閲覧者に難視状態であることを認識させることができるので、投稿が閲覧対象から外れる時間が迫っていることを認識させることができる。
また、投稿情報を難視状態とする方法として、投稿情報のうち、文字部分または写真部分のいずれか一方、または両方のサイズを小さくすることも可能である。
例えば、文字部分のフォントサイズを段階的に小さくしたり、写真部分を縮小したりすることでも、投稿情報が難視状態となるため、閲覧者に時間が迫っていることを認識させることができる。
更に、難視状態は、投稿情報の解像度を低下させたり、モザイクのブロックサイズを大きくしたりするなどとすることもできる。
また、閲覧者に投稿情報を閲覧し難くすることができれば、他の方法でもよい。
【００４２】
例えば、領域Ａ１に所在する他の投稿者Ｍ３が、投稿者Ｍ１により投稿後、約１２時間経過したところで、投稿者Ｍ１の投稿に気が付いたとする。他の投稿者Ｍ３は、投稿者Ｍ１による投稿情報を引用して、第３端末装置３０により、再投稿したとする。
【００４３】
例えば、図８に示すページＰ６では、他の投稿者Ｍ３を示すアイコンＩ９と、他の投稿者Ｍ３の名前を示す「Ｓａｂｕｒｏ」がタイトルバーに表示されている。このページＰ６に表示された投稿者Ｍ１の投稿情報を、他の投稿者Ｍ３が再投稿するときには、再投稿ボタンＢ５を押下する。そうすることで、投稿者Ｍの投稿情報が再投稿されたことを示す「シェアされました」が表示される。
【００４４】
第３端末装置３０による再投稿による投稿情報（再投稿情報）は、情報提供装置４０の投稿受付手段４２により引用元である投稿者Ｍ１による投稿情報に関連付けられて記憶手段４６に格納される。
【００４５】
投稿者Ｍ１による投稿情報が投稿から２４時間経過した時点で、投稿者Ｍ１による投稿情報は投稿除外手段４４により閲覧対象から外れる。しかし、投稿者Ｍ１による投稿情報を引用した他の投稿者Ｍ３による再投稿情報は、１２時間しか経過しておらず、除外時間情報が示す時間を経過していないが、再投稿情報も投稿除外手段４４により一緒に閲覧対象から外される。
このように、投稿除外手段４４は、親投稿となる投稿情報を閲覧対象から外すときには、この投稿情報を引用した子投稿となる再投稿情報も一緒に閲覧対象から外すため、閲覧者に、更に、焦燥感を煽ることができる。
【００４６】
本実施の形態では、第１端末装置１０から第３端末装置３０が、スマートフォンであったが、第１端末装置１０から第３端末装置３０はデスクトップ型のコンピュータとしたり、ノートブック型のコンピュータとすることもできる。
【産業上の利用可能性】
【００４７】
本発明は、短文投稿サイトなどのソ−シャルネットワークサービスだけでなく、ブログやホームページなどでも適用することができる。
【符号の説明】
【００４８】
１０  第１端末装置
２０，２１〜２３  第２端末装置
３０  第３端末装置
４０  情報提供装置
４１  通信手段
４２  投稿受付手段
４３  投稿提供手段
４４  投稿除外手段
４５  地図情報提供手段
４６  記憶手段
Ｍ１  投稿者
Ｍ２，Ｍ４，Ｍ５  閲覧者
Ｍ３  他の投稿者
Ｓ  店舗
Ｗ  インターネット
Ａ１，Ａ２，Ａ３  領域
Ｐ１，Ｐ３，Ｐ４，Ｐ５，Ｐ６  ページ
Ｂ１  投稿入力ボタン
Ｐ２  投稿用ページ
Ｂ２  投稿実行ボタン
Ｂ５  再投稿ボタン
Ｉ１〜Ｉ９  アイコン
【図１】
2017079035.tif 000003
【図２】
2017079035.tif 000004
【図３】
2017079035.tif 000005
【図４】
2017079035.tif 000006
【図５】
2017079035.tif 000007
【図６】
2017079035.tif 000008
【図７】
2017079035.tif 000009
【図８】
2017079035.tif 000010